(57)【要約】【課題】１回のキー操作で関連放送サービスを順次選択することが可能な放送受信装置を提供する。【解決手段】フラッシュメモリ１３は、リモコンのキーに割当てられたチャンネル番号毎に複数の放送サービスを対応付けて記憶する。ＣＰＵ１１は、ＩＲ処理部１２によって入力されたチャンネル番号に対応する放送サービスを、フラッシュメモリ１３に記憶された複数の放送サービスの中から選択するときに、入力されたチャンネル番号が前回入力されたチャンネル番号と同じである場合、前回選択された放送サービスと異なる放送サービスを選択する。そして、ネットワーク処理部１５、地上デジタル放送フロントエンド処理部１７、衛星デジタル放送フロントエンド処理部１８またはアナログテレビ処理部１９は、ＣＰＵ１１によって選択された放送サービスを受信する。したがって、１回のキー操作で関連放送サービスを順次選択することが可能となる。【選択図】図１
2008022047.tif 000002
【特許請求の範囲】
【請求項１】
放送サービスを受信する放送受信装置であって、
リモコンのキーに割当てられたチャンネル番号毎に複数の放送サービスを対応付けて記憶する記憶手段と、
チャンネル番号を入力する入力手段と、
前記入力手段によって入力されたチャンネル番号に対応する放送サービスを、前記記憶手段に記憶された複数の放送サービスの中から選択する選択手段と、
前記入力手段によって入力されたチャンネル番号が前回入力されたチャンネル番号と同じである場合、前回選択された放送サービスと異なる放送サービスを前記選択手段に選択させる選択制御手段と、
前記選択手段によって選択された放送サービスを受信する受信手段と、
前記受信手段によって受信された放送サービスを出力する出力手段とを含む、放送受信装置。
【請求項２】
前記記憶手段は、チャンネル番号毎に、同一放送グループが提供する放送方式の異なる複数の放送サービスを対応付けて記憶する、請求項１記載の放送受信装置。
【請求項３】
前記選択制御手段は、優先順位に従って次に選択される放送サービスを抽出して前記受信手段に予め受信させる、請求項１記載の放送受信装置。
【請求項４】
前記選択制御手段は、前記入力手段によって入力されたチャンネル番号が前回入力されたチャンネル番号と異なる場合、前回選択された放送サービスと同じ放送方式の放送サービスを前記選択手段に選択させる、請求項２記載の放送受信装置。
【請求項５】
前記選択制御手段は、前記入力手段によって入力されたチャンネル番号が前回入力されたチャンネル番号と異なる場合、前記入力手段によって入力されたチャンネル番号で前回選択された放送サービスと同じ放送サービスを前記選択手段に選択させる、請求項１記載の放送受信装置。
【請求項６】
前記出力手段は、前記受信手段によって受信された放送サービスの番組情報に含まれる課金情報を出力する、請求項１記載の放送受信装置。
【請求項７】
前記放送受信装置はさらに、電子番組表を取得する電子番組表取得手段と、
前記電子番組表取得手段によって取得された電子番組表を参照して、前記記憶手段に記憶されたチャンネル番号に対応付けられた複数の放送サービスの順位付けを行なう順位付け手段とを含み、
前記選択手段は、前記順位付け手段による順位付けに応じて放送サービスを選択する、請求項１記載の放送受信装置。
【請求項８】
前記受信手段は、受信状態情報を取得し、
前記受信状態情報を参照して、前記記憶手段に記憶されたチャンネル番号に対応づけられた複数の放送サービスの順位付けを行なう順位付け手段をさらに含み、
前記選択手段は、前記順位付け手段による順位付けに応じて放送サービスを選択する、請求項１記載の放送受信装置。
【請求項９】
前記選択制御手段は、前記受信手段によって取得された受信状態情報を参照して受信不可能な放送サービスを前記選択手段に選択させない、請求項８記載の放送受信装置。
【請求項１０】
前記放送受信装置はさらに、放送サービスの追加または削除を検出して前記記憶手段が記憶する放送サービスを変更する変更手段を含む、請求項１記載の放送受信装置。
【請求項１１】
放送サービスを受信する放送受信方法であって、
リモコンのキーに割当てられたチャンネル番号を入力するステップと、
前記入力されたチャンネル番号が前回入力されたチャンネル番号と同じである場合、チャンネル番号に対応付けて記憶された複数の放送サービスの中から、前回選択された放送サービスと異なる放送サービスを選択するステップと、
前記選択された放送サービスを受信するステップと、
前記受信された放送サービスを出力するステップとを含む、放送受信方法。
【請求項１２】
放送サービスを受信する処理をコンピュータに実行させるためのコンピュータ・プログラムであって、
リモコンのキーに割当てられたチャンネル番号を入力するステップと、
前記入力されたチャンネル番号が前回入力されたチャンネル番号と同じである場合、チャンネル番号に対応付けて記憶された複数の放送サービスの中から、前回選択された放送サービスと異なる放送サービスを選択するステップと、
前記選択された放送サービスを受信するステップと、
前記受信された放送サービスを出力するステップとをコンピュータに実行させるためのコンピュータ・プログラム。
【発明の詳細な説明】
【技術分野】
【０００１】
本発明は、複数の異なる放送方式に対応した放送受信装置に関し、特に、ユーザが放送方式を意識することなく所望の番組を視聴することが可能な放送受信装置、放送受信方法およびコンピュータ・プログラムに関する。
【背景技術】
【０００２】
近年、地上アナログ、地上デジタル、衛星デジタル、地上デジタルワンセグ、デジタル放送ＩＰ（Internet Protocol）再送信、ＩＰ放送などの複数の異なる放送方式に対応した放送受信装置が開発されている。
【０００３】
このような放送受信装置においては、ユーザによって選局指示があったチャンネルを選局できない場合、ユーザが別の放送方式を選択し、所望の番組に対応するチャンネルを選択する必要がある。そのため、ユーザが放送方式を意識して番組を再選択する必要があり、操作が煩雑になる。
【０００４】
また、同一の放送方式については、系列局情報と、推定した地域情報とから代替局を特定して選択する技術がある。しかしながら、複数の放送方式にまたがる代替局を選択することができなかったり、地域を推定するための方法が必要となったり、放送局の変化には対応しにくかったりする。
【０００５】
これらに関連する技術として、下記の特許文献１〜３に開示された発明がある。
特許文献１に開示されたテレビジョン受信機においては、数字キーの個数よりも放送番組のチャンネル数が多い場合には、各チャンネル番組をページごとに割り振って数字キーに関連付ける。また、リモコンには、数字キーとともにページ更新用のキーが設けられている。これにより、使用者は、リモコンのページ変更用のキーを押してページを変更して所望のチャンネル番号を探すものである。
【０００６】
また、特許文献２に開示されたデジタル放送受信装置は、放送局から所定周波数で送信されるデジタル放送を受信するように予め設定された周波数に基づいてデジタル放送を受信するデジタル放送受信手段と、設定されたデジタル放送が受信されたか否かを判別するデジタル放送受信判別手段と、受信が設定されたデジタル放送が受信されないと判別された場合は、その代替としての放送が受信されるための代替チャンネルが設定されているか否かを判別する代替チャンネル判別手段と、代替チャンネルが設定されていると判別された場合は設定されたデジタル放送から代替チャンネルへ切換えて代替チャンネルの放送を受信する切換受信手段とを備えたものである。
【０００７】
また、特許文献３に開示された放送受信装置においては、放送の受信状態が悪化した場合に、検出した識別情報から受信地域を推定し、受信中の放送局系列に属し且つ推定した受信地域に適合する放送局の周波数を系列放送局情報で検索し、選局手段は検出した周波数の放送を選局するものである。
【特許文献１】特開２００１−３６８２３号公報
【特許文献２】特開２００４−２４１９８３号公報
【特許文献３】特開２００２−９６４９号公報
【発明の開示】
【発明が解決しようとする課題】
【０００８】
しかしながら、上述した特許文献１に開示されたテレビジョン受信機においては、数字キーの個数よりも放送番組のチャンネル数が多い場合には、各チャンネル番組をページごとに割り振って数字キーに関連付けているが、放送方式の異なる複数の関連放送サービスについては考慮されていない。そのため、異なる放送方式の関連放送サービスを視聴する場合、ユーザによる操作が煩雑になるといった問題点があった。
【０００９】
ここで、関連放送サービスとは、同一放送事業者が放送サービスを同一の放送方式で、あるいは複数の放送方式にまたがって行なっている場合における、それぞれの放送サービス、また別個の放送事業者が同一あるいは類似の放送サービスを同一の放送方式で、あるいは複数の放送方式にまたがって行なっている場合におけるそれぞれの放送サービスを指すものとする。
【００１０】
また、特許文献２に開示されたデジタル放送受信装置においては、受信が設定されたデジタル放送が受信されないと判別された場合は、設定されたデジタル放送から代替チャンネルへ切り換えて代替チャンネルの放送を受信するものであるため、デジタル放送が受信されない場合には操作性が向上することになる。しかしながら、デジタル放送が受信されている場合には、さらなる操作性の向上を図ることができない。
【００１１】
また、特許文献３に開示された放送受信装置においては、放送の受信状態が悪化した場合に、受信中の放送局系列に属し且つ推定した受信地域に適合する放送局の周波数を系列放送局情報で検索して選局するものであるため、放送の受信状態が悪化した場合には操作性が向上することになる。しかしながら、放送の受信状態が良好な場合には、さらなる操作性の向上を図ることができない。
【００１２】
本発明は、上記問題点を解決するためになされたものであり、第１の目的は、１回のキー操作で関連放送サービスを順次選択することが可能な放送受信装置、放送受信方法およびそのコンピュータ・プログラムを提供することである。
【００１３】
第２の目的は、関連性が高い放送サービスを優先的に選択することが可能な放送受信装置を提供することである。
【００１４】
第３の目的は、受信状態のよい放送サービスを優先的に選択することが可能な放送受信装置を提供することである。
【課題を解決するための手段】
【００１５】
本発明のある局面に従えば、放送サービスを受信する放送受信装置であって、リモコンのキーに割当てられたチャンネル番号毎に複数の放送サービスを対応付けて記憶する記憶手段と、チャンネル番号を入力する入力手段と、入力手段によって入力されたチャンネル番号に対応する放送サービスを、記憶手段に記憶された複数の放送サービスの中から選択する選択手段と、入力手段によって入力されたチャンネル番号が前回入力されたチャンネル番号と同じである場合、前回選択された放送サービスと異なる放送サービスを選択手段に選択させる選択制御手段と、選択手段によって選択された放送サービスを受信する受信手段と、受信手段によって受信された放送サービスを出力する出力手段とを含む。
【００１６】
好ましくは、記憶手段は、チャンネル番号毎に、同一放送グループが提供する放送方式の異なる複数の放送サービスを対応付けて記憶する。
【００１７】
好ましくは、選択制御手段は、優先順位に従って次に選択される放送サービスを抽出して受信手段に予め受信させる。
【００１８】
好ましくは、選択制御手段は、入力手段によって入力されたチャンネル番号が前回入力されたチャンネル番号と異なる場合、前回選択された放送サービスと同じ放送方式の放送サービスを選択手段に選択させる。
【００１９】
好ましくは、選択制御手段は、入力手段によって入力されたチャンネル番号が前回入力されたチャンネル番号と異なる場合、入力手段によって入力されたチャンネル番号で前回選択された放送サービスと同じ放送サービスを選択手段に選択させる。
【００２０】
好ましくは、出力手段は、受信手段によって受信された放送サービスの番組情報に含まれる課金情報を出力する。
【００２１】
好ましくは、放送受信装置はさらに、電子番組表を取得する電子番組表取得手段と、電子番組表取得手段によって取得された電子番組表を参照して、記憶手段に記憶されたチャンネル番号に対応付けられた複数の放送サービスの順位付けを行なう順位付け手段を含み、選択手段は、順位付け手段による順位付けに応じて放送サービスを選択する。
【００２２】
好ましくは、受信手段は、受信状態情報を取得し、受信状態情報を参照して、記憶手段に記憶されたチャンネル番号に対応づけられた複数の放送サービスの順位付けを行なう順位付け手段をさらに含み、選択手段は、順位付け手段による順位付けに応じて放送サービスを選択する。
【００２３】
好ましくは、選択制御手段は、受信手段によって取得された受信状態情報を参照して受信不可能な放送サービスを選択手段に選択させない。
【００２４】
好ましくは、放送受信装置はさらに、放送サービスの追加または削除を検出して記憶手段が記憶する放送サービスを変更する変更手段を含む。
【００２５】
本発明の別の局面に従えば、放送サービスを受信する放送受信方法であって、リモコンのキーに割当てられたチャンネル番号を入力するステップと、入力されたチャンネル番号が前回入力されたチャンネル番号と同じである場合、チャンネル番号に対応付けて記憶された複数の放送サービスの中から、前回選択された放送サービスと異なる放送サービスを選択するステップと、選択された放送サービスを受信するステップと、受信された放送サービスを出力するステップとを含む。
【００２６】
本発明のさらに別の局面に従えば、放送サービスを受信する処理をコンピュータに実行させるためのコンピュータ・プログラムであって、リモコンのキーに割当てられたチャンネル番号を入力するステップと、入力されたチャンネル番号が前回入力されたチャンネル番号と同じである場合、チャンネル番号に対応付けて記憶された複数の放送サービスの中から、前回選択された放送サービスと異なる放送サービスを選択するステップと、選択された放送サービスを受信するステップと、受信された放送サービスを出力するステップとをコンピュータに実行させる。
【発明の効果】
【００２７】
本発明のある局面によれば、入力手段によって入力されたチャンネル番号が前回入力されたチャンネル番号と同じである場合、選択制御手段が、前回選択された放送サービスと異なる放送サービスを選択手段に選択させるので、１回のキー操作で関連放送サービスを順次選択することが可能となる。
【００２８】
また、記憶手段が、チャンネル番号毎に、同一放送グループが提供する放送方式の異なる複数の放送サービスを対応付けて記憶するので、番組内容が同じ放送サービスを同じチャンネル番号に対応付けることが可能となる。
【００２９】
また、選択制御手段が、優先順位に従って次に選択される放送サービスを抽出して受信手段に予め受信させるので、放送サービスの切換えを瞬時に行なうことが可能となる。
【００３０】
また、入力手段によって入力されたチャンネル番号が前回入力されたチャンネル番号と異なる場合、選択制御手段が、前回選択された放送サービスと同じ放送方式の放送サービスを選択手段に選択させるので、放送方式が頻繁に切換わるといった不具合を防止することが可能となる。
【００３１】
また、選択制御手段は、入力手段によって入力されたチャンネル番号が前回入力されたチャンネル番号と異なる場合、入力手段によって入力されたチャンネル番号で前回選択された放送サービスと同じ放送サービスを選択手段に選択させるので、ユーザが選択する可能性が高い放送サービスを出力することが可能となる。
【００３２】
また、出力手段が、受信手段によって受信された放送サービスの番組情報に含まれる課金情報を出力するので、ユーザがその放送サービスを選択するか否かを決定するのに必要となる情報を提供することが可能となる。
【００３３】
また、順位付け手段が、電子番組表取得手段によって取得された電子番組表を参照して、記憶手段に記憶されたチャンネル番号に対応付けられた複数の放送サービスの順位付けを行なうので、関連性が高い放送サービスを優先的に選択することが可能となる。
【００３４】
また、順位付け手段が、受信状態情報を参照して、記憶手段に記憶されたチャンネル番号に対応づけられた複数の放送サービスの順位付けを行なうので、受信状態のよい放送サービスを優先的に選択することが可能となる。
【００３５】
また、選択制御手段が、受信手段によって取得された受信状態情報を参照して受信不可能な放送サービスを選択手段に選択させないので、受信不可能な放送サービスをスキップして選択することが可能となる。
【００３６】
また、変更手段が、放送サービスの追加または削除を検出して記憶手段が記憶する放送サービスを変更するので、関連放送サービスの変更を容易に行なうことが可能となる。
【発明を実施するための最良の形態】
【００３７】
（第１の実施の形態）
図１は、本発明の第１の実施の形態における放送受信装置の概略構成を示すブロック図である。この放送受信装置は、装置の全体的な制御を行なうＣＰＵ（Central Processing Unit）１１と、リモコンからの信号を受けてＣＰＵ１１に通知するＩＲ（Infrared）処理部１２と、ＣＰＵ１１が実行するプログラムなどが格納されるフラッシュメモリ１３と、ワークエリアなどに使用されるＲＡＭ（Random Access Memory）１４と、ＩＰ（Internet Protocol）ネットワークの処理を行なうネットワーク処理部１５と、放送コンテンツであるＭＰＥＧ（Moving Picture Experts Group）データを処理するＭＰＥＧ処理部１６と、地上デジタル放送に関連する処理を行なう地上デジタル放送フロントエンド処理部１７と、衛星デジタル放送に関連する処理を行なう衛星デジタル放送フロントエンド処理部１８と、地上波アナログ放送に関連する処理を行なうアナログテレビ処理部１９と、ＭＰＥＧ処理部１６およびアナログテレビ処理部１９からの映像信号を処理するスケーラ部２０と、スケーラ部２０によって処理された映像信号を受けて映像を表示するＬＣＤ（Liquid Crystal Display）表示部２１と、ＭＰＥＧ処理部１６およびアナログテレビ処理部１９からの音声信号の処理を行なうオーディオプロセッサ部２２と、音声を再生するスピーカ２３とを含む。
【００３８】
ＣＰＵ１１は、メモリコントローラ、ＩＲコントローラなどを内蔵しており、フラッシュメモリ１３に格納されたプログラムを実行して各処理部の制御を行なうことにより、放送受信装置全体の制御を行なう。なお、ＣＰＵ１１は、ネットワーク処理部１５、ＭＰＥＧ処理部１６、地上デジタル放送フロントエンド処理部１７、衛星デジタル放送フロントエンド処理部１８、アナログテレビ処理部１９、スケーラ部２０およびオーディオプロセッサ部２２とＩ２Ｃ（Inter Integrated Circuit）バスなどによって接続されている。
【００３９】
また、ＣＰＵ１１は、内蔵されているＩＲコントローラを制御することにより、ＩＲ処理部１２によって受信された信号からデータを抽出する。
【００４０】
ＩＲ処理部１２は、リモコンから受けた赤外線信号に対してＩＲデモジュレート処理などの処理を行ない、復調後の電気信号をＣＰＵ１１に出力する。
【００４１】
フラッシュメモリ１３は、ＣＰＵ１１によって実行されるプログラム、後述する各種テーブルの内容などを保持する不揮発性メモリである。供給される電源が切断された状態でもデータを保持できれるものであればよく、フラッシュメモリに限定されない。
【００４２】
ＲＡＭ１４は、ＣＰＵ１１によって使用されるデータなどを一時的に記憶する。ＣＰＵ１１は、リセット時にフラッシュメモリ１３に格納されるプログラムをＲＡＭ１４にロードし、ＲＡＭ１４にロードされたプログラムを実行するようにしてもよい。
【００４３】
ネットワーク処理部１５は、図示しない物理層を用いてＩＰネットワークと接続し、データの送受信を行なう。ネットワーク処理部１５は、ＣＰＵ１１と２つのバスによって接続されており、一方は制御用に用いられるＩ２Ｃなどのバスであり、他方はデータの転送に用いられるＰＣＩ（Peripheral Component Interconnect）などのバスである。なお、ネットワーク処理部１５とＣＰＵ１１とをＰＣＩなどの１つのバスで接続して、制御用とデータ転送用とを１つのバスで兼ねるように構成してもよい。
【００４４】
ＭＰＥＧ処理部１６は、ネットワーク処理部１５、地上デジタル放送フロントエンド処理部１７および衛星デジタル放送フロントエンド処理部１８と接続され、放送コンテンツであるＭＰＥＧデータ（ＴＳ（Transport Stream）データ）を受け、映像データ、音声データ、電子番組表などの付加データ、映像・音声の同期などの再生制御に必要な制御データなどを分離、復号、解釈し、スケーラ部２０に映像データを転送したり、オーディオプロセッサ部２２に音声データを出力したり、ＣＰＵ１１に電子番組表データを転送したりする。
【００４５】
地上デジタル放送フロントエンド処理部１７は、図示しないアンテナによって受信された地上デジタル放送の放送波を受け、目的の周波数に同調して希望周波数の信号を取出し、所定の手順で復調し、ベースバンドとなるデジタルデータであるＭＰＥＧ−ＴＳデータを再構成して後段のＭＰＥＧ処理部１６に転送する。
【００４６】
衛星デジタル放送フロントエンド処理部１８は、図示しないアンテナによって受信された衛星デジタル放送の放送波を受け、目的の周波数に同調して希望周波数の信号を取出し、所定の手順で復調し、ベースバンドとなるデジタルデータであるＭＰＥＧ−ＴＳデータを再構成して後段のＭＰＥＧ処理部１６に転送する。
【００４７】
アナログテレビ処理部１９は、図示しないアンテナによって受信された地上波テレビの放送波を受け、目的の周波数に同調して希望周波数の信号を取出し、所定の手順で復調し、デジタル化したＩＴＵ−Ｒ（International Telecommunication Union-Radiocommunication sector）  ６５６などの映像信号をスケーラ部２０に転送したり、Ｉ２Ｓ（Inter Integrated circuit Sound）などの音声信号をオーディオプロセッサ部２２に転送したり、垂直帰線区間（ＶＢＩ）に重畳されたデータをＣＰＵ１１に転送したりする。
【００４８】
スケーラ部２０は、主にインタレース／プログレッシブ（ノンインタレース）変換処理などを行なう映像のスケーリングエンジンによって構成され、ＭＰＥＧ処理部１６およびアナログテレビ処理部１９から受けたＩＴＵ−Ｒ  ６５６などのデジタル化された映像信号を所定のサイズに拡大／縮小し、プログレッシブ映像信号に変換してＬＣＤ表示部２１に出力する。
【００４９】
また、スケーラ部２０は、複数の映像信号を受け、その中の１つを選択して処理する機能も有している。
【００５０】
ＬＣＤ表示部２１は、ＬＣＤドライバとＬＣＤパネルとによって構成され、スケーラ部２０によって処理された映像信号を受けて画面にその映像を表示する。
【００５１】
オーディオプロセッサ部２２は、入力された複数の音声信号の中から１つの音声信号の選択、音声信号のゲインコントロール、ミキシングなどの機能を有しており、ＭＰＥＧ処理部１６およびアナログテレビ処理部１９から受けたＩ２Ｓなどのデジタル化された音声信号を、所定の音量に変換してスピーカ２３に出力することにより音声を再生する。
【００５２】
図２は、地上デジタル放送フロントエンド処理部１７の内部構成を示すブロック図である。この地上デジタル放送フロントエンド処理部１７は、図示しないアンテナによって受信された地上波デジタル放送の放送波（ＲＦ（Radio Frequency）信号）を受けて所望の周波数の信号を抽出するチューナ１７１と、チューナ１７１によって抽出された信号を復調するＯＦＤＭ（Orthogonal Frequency Division Multiplexing）復調部１７２とを含む。
【００５３】
チューナ１７１は、図示しないアンテナによって受信された地上波デジタル放送の放送波（ＲＦ信号）を受け、Ｉ２Ｃなどの制御用バスを介してＣＰＵ１１から指示された周波数帯域で同調を行ない、抽出した信号をＯＦＤＭ復調部１７２に出力する。
【００５４】
ＯＦＤＭ復調部１７２は、チューナ１７１から受けた信号に対して、ＯＦＤＭ復調、デインターリーブ、キャリアデジタル復調、誤り訂正などの処理を行ない、放送波によって伝送されたＭＰＥＧ−ＴＳを再構成してＭＰＥＧ処理部１６に出力する。
【００５５】
また、チューナ１７１およびＯＦＤＭ復調部１７２は、Ｉ２Ｃなどの制御用バスでＣＰＵ１１と接続されている。ＣＰＵ１１は、チューナ１７１による同調処理およびＯＦＤＭ復調部１７２による復調処理において検知される同調不可、Ｃ／Ｎ比、ビット誤り率などの状態情報を、この制御用バスを介して取得することが可能である。
【００５６】
なお、地上デジタルワンセグ放送の伝送方式は、固定受信機向けの地上デジタル放送の方式に包含されており、同一のフロントエンド処理で対応することができる。また、地上デジタルワンセグ放送の選択は、ＴＳ処理を行なうＭＰＥＧ処理部１６によって行なわれるので、ＯＦＤＭ復調部１７２が同様の処理で地上デジタルワンセグ放送の処理も行なうことができる。
【００５７】
図３は、衛星デジタル放送フロントエンド処理部１８の内部構成を示すブロック図である。この衛星デジタル放送フロントエンド処理部１８は、図示しないアンテナによって受信された衛星デジタル放送の放送波（ＩＦ（Intermediate Frequency）信号）を受けて所望の周波数の信号を抽出するチューナ１８１と、チューナ１８１によって抽出された信号を復調する復調部１８２とを含む。
【００５８】
チューナ１８１は、図示しないアンテナによって受信された衛星デジタル放送の放送波（ＩＦ信号）を受け、Ｉ２Ｃなどの制御用バスを介してＣＰＵ１１から指示された周波数帯域で同調を行ない、抽出した信号を復調部１８２に出力する。
【００５９】
復調部１８２は、チューナ１８１から受けた信号に対して、デジタル復調（ＰＳＫ（Phase Shift Keying）復調）、誤り訂正、デインターリーブ、フレーム分離などの処理を行ない、放送波によって伝送されたＭＰＥＧ−ＴＳを再構成してＭＰＥＧ処理部１６に出力する。
【００６０】
また、チューナ１８１および復調部１８２は、Ｉ２Ｃなどの制御用バスでＣＰＵ１１と接続されている。ＣＰＵ１１は、チューナ１８１による同調処理および復調部１８２による復調処理において検知される同調不可、Ｃ／Ｎ比、ビット誤り率などの状態情報を、この制御用バスを介して取得することが可能である。
【００６１】
図４は、アナログテレビ処理部１９の内部構成を示すブロック図である。このアナログテレビ処理部１９は、図示しないアンテナによって受信されたアナログテレビ放送の放送波（ＲＦ信号）を受けて所望の周波数の信号を抽出するチューナ１９１と、チューナ１９１によって抽出された信号をデコードしてデジタルの映像信号に変換するビデオデコーダ１９２と、チューナ１９１によって抽出された信号をデコードしてデジタルの音声信号に変換するオーディオプロセッサ１９３とを含む。
【００６２】
チューナ１９１は、図示しないアンテナによって受信されたアナログテレビ放送の放送波（ＲＦ信号）を受け、Ｉ２Ｃなどの制御用バスを介してＣＰＵ１１から指示された周波数帯域で同調を行ない、抽出した信号をビデオデコーダ１９２およびオーディオプロセッサ１９３に出力する。
【００６３】
ビデオデコーダ１９２は、チューナ１９１から受けた信号（ＮＴＳＣ（National Television System Committee）信号）をデコードし、ＩＴＵ−Ｒ  ６５６などのデジタルの映像信号に変換してスケーラ部２０に出力する。
【００６４】
また、ビデオデコーダ１９２は、ビデオ信号の垂直帰線期間（ＶＢＩ）の所定ラインに重畳されている電子番組表、コピー制御情報などのデータの抽出も行なう。
【００６５】
オーディオプロセッサ１９３は、チューナ１９１から受けた信号をデコードし、Ｉ２Ｓなどのデジタルの音声信号に変換してオーディオプロセッサ部２２に出力する。
【００６６】
また、チューナ１９１、ビデオデコーダ１９２およびオーディオプロセッサ１９３は、Ｉ２Ｃなどの制御用バスでＣＰＵ１１と接続されている。ＣＰＵ１１は、チューナ１９１による同調処理や、ビデオデコーダ１９２およびオーディオプロセッサ１９３によるデコード処理において検知される同調不可、デコード不可などの状態情報や、上述したＶＢＩに重畳されたデータ、音声多重モードなどの付加情報を、この制御用バスを介して取得することが可能である。
【００６７】
図５は、ネットワーク処理部１５の内部構成を示すブロック図である。このネットワーク処理部１５は、ネットワーク処理部１５の全体的な制御を行なうネットワークプロセッサ１５１と、ネットワークプロセッサ１５１によって実行されるプログラムなどが格納されるフラッシュメモリ１５２と、ワークエリアなどに使用されるＲＡＭ１５３とを含む。
【００６８】
ネットワークプロセッサ１５１は、マイコンおよびネットワークコントローラの機能を有しており、ＩＰネットワークに関する処理を行なう。ネットワークプロセッサ１５１は、リセット時にフラッシュメモリ１５２からプログラムをロードし、さらにフラッシュメモリ１５２から初期設定データを読込んで、外部に接続されている物理層とのインタフェースを設定する。
【００６９】
ネットワークプロセッサ１５１は、Ｉ２Ｃなどの制御用バスを介してＣＰＵ１１から接続指示を受けると、物理層を利用してＣＰＵ１１から指示されたホストのＩＰアドレスおよびポートに接続する。そのときに使用されるデータは、一時的にＲＡＭ１５３に格納される。
【００７０】
ネットワークプロセッサ１５１は、ＩＰ／ＩＣＭＰ（Internet Control Message Protocol）、ＴＣＰ（Transmission Control Protocol）／ＵＤＰ（User Datagram Protocol）／ＲＴＰ（Real-time Transport Protocol）、ＤＮＳ（Domain Name System）／ＤＨＣＰ（Dynamic Host Configuration Protocol）／ＨＴＴＰ（Hyper Text Transfer Protocol）／ＳＳＬ（Secure Socket Layer）などの各層のプロトコルの処理を行なうが、これらの処理は本願発明と直接関係するものではないので、その詳細な説明は行なわない。
【００７１】
ネットワークプロセッサ１５１は、ＣＰＵ１１からＵＲＩ（Universal Resource Indicator）の形式でプロトコル、ホスト、ポートおよびファイルを指定されると、その指定に従って接続するために、ＤＮＳにより指定のホストのＩＰアドレスを取得し、そのＩＰアドレスおよびポートに接続し、指定のプロトコルでやり取りを行なって指定のファイルを取得しようとする。
【００７２】
ＩＰ放送や地上デジタルＩＰ再送信の場合、放送内容がストリーミングとして配信され、そのコンテンツを格納したＭＰＥＧ−ＴＳ（または、ＭＰＥＧ−ＰＳ）が順次ＩＰパケットに格納されて送られてくる。ネットワークプロセッサ１５１は、ＩＰや、ＴＣＰ／ＲＴＰ／ＨＴＴＰなどの上位のプロトコルによってデータ部分（ペイロード）を取出し、ＰＣＩなどのデータ転送用のバスを介してＣＰＵ１１に転送する。
【００７３】
また、ＣＰＵ１１は、このデータ転送用のバスを介して、ネットワークプロセッサ１５１からネットワークの接続状態情報や、ＴＳに多重化されていないＥＰＧ（Electronic Program Guide）などの付加情報を取得することも可能である。
【００７４】
なお、ネットワークプロセッサ１５１がＩＰネットワーク処理を行なうように構成しているが、これらの処理もＣＰＵ１１が行なうようにしてもよい。同様に、フラッシュメモリ１３がフラッシュメモリ１５２を兼ね、ＲＡＭ１４がＲＡＭ１５３を兼ねるようにしてもよい。
【００７５】
図６は、ＭＰＥＧ処理部１６の内部構成を示す図である。このＭＰＥＧ処理部１６は、ＭＰＥＧ−ＴＳを種類に応じて分離するＴＳ分離部１６１と、映像ＰＥＳをデコードする映像デコーダ１６２と、音声ＰＥＳをデコードする音声デコーダ１６３と、映像デコーダ１６２によってデコードされた映像信号に字幕を多重する表示多重化部１６４と、ＴＳ分離部１６１によって分離された映像ＰＥＳを格納する映像ＰＥＳバッファ１６５と、ＴＳ分離部１６１によって分離された字幕ＰＥＳを格納する字幕ＰＥＳバッファ１６６と、ＴＳ分離部１６１によって分離された音声ＰＥＳを格納する音声ＰＥＳバッファ１６７と、ＴＳ分離部１６１によって分離されたデータセクションを格納するセクションバッファ１６８とを含む。
【００７６】
ＴＳ分離部１６１は、フロントエンドの出力であるＭＰＥＧ−ＴＳを、映像ＰＥＳ、音声ＰＥＳ、字幕ＰＥＳおよびデータセクションに分離し、それぞれを映像ＰＥＳバッファ１６５、字幕ＰＥＳバッファ１６６、音声ＰＥＳバッファ１６７およびセクションバッファ１６８に格納する。
【００７７】
映像デコーダ１６２は、映像ＰＥＳバッファ１６５に格納された映像ＰＥＳに応じて適切なデコーダを選択して復号し、ＩＴＵ−Ｒ  ６５６などのデジタル映像信号としてスケーラ部２０に出力する。映像デコーダ１６２は、ＭＰＥＧ２  ｖｉｄｅｏ、Ｈ．２６４／ＡＶＣ（Advanced Video Coding）などに対応した複数のデコーダを有しており、ＴＳパケットの解析によってデコーダを選択する。
【００７８】
音声デコーダ１６３は、音声ＰＥＳバッファ１６７に格納された音声ＰＥＳに応じて適切なデコーダを選択して復号し、Ｉ２Ｓなどのデジタル音声信号としてオーディオプロセッサ部２２に出力する。音声デコーダ１６３は、複数のデコーダを有しており、ＴＳパケットの解析によってデコーダを選択する。
【００７９】
表示多重化部１６４は、映像デコーダ１６２から出力された映像信号を受け、字幕ＰＥＳバッファ１６６に格納された字幕を重ね合わせたデジタル映像信号を生成してスケーラ部２０に出力する。
【００８０】
なお、映像ＰＥＳのデコード処理、音声ＰＥＳのデコード処理および最終的な表示については、セクションバッファ１６８に格納された提示用時刻要素の内容に従って同期が取られ、映像および音声の再生が行なわれる。
【００８１】
図７は、リモコンの外観例を示す図である。このリモコンは、テンキー３１と、電源キー３２と、放送方式を切換える放送方式切換キー３３と、関連放送サービスに切換える関連放送キー３４と、選局キー３５と、音量キー３６とを含む。
【００８２】
ユーザがキーを押下することにより、リモコンはＩＲ信号を出力する。放送受信装置のＩＲ処理部１２がリモコンから出力されたＩＲ信号を受けて復調し、ＣＰＵ１１に出力することによって、各キーに割付けられた機能が実行される。
【００８３】
テンキー３１は１２個のキーからなり、番組選択時にテンキー３１のいずれかが押下されると、放送受信装置は対応する番号に設定された放送局を選局する。また、電源キー３２は、放送受信装置の電源をオン／オフするためのキーである。
【００８４】
放送方式切換キー３３は、地上アナログ、地上デジタル、衛星デジタル、地上デジタルワンセグ、デジタル放送ＩＰ再送信、ＩＰ放送などの受信したい放送方式を選択するためのキーである。
【００８５】
関連放送キー３４は、直前に選局された放送サービスの関連放送サービスに切換えるためのキーである。
【００８６】
選局キー３５は、チャンネルをダイレクトに選択するのではなく、現在選択しているチャンネルの次のチャンネルまたは前のチャンネルに切換えるためのキーである。また、音量キー３６は、放送受信装置の音量を調整するためのキーである。
【００８７】
図８は、放送サービスグループテーブルの一例を示す図である。この放送サービスグループテーブルは、関連放送サービスをグループ化して管理するためのテーブルであり、デフォルトの設定はフラッシュメモリ１３に予め格納されている。ＣＰＵ１１は、フラッシュメモリ１３に格納されている放送サービスグループテーブルを直接参照してもよいし、放送サービスグループテーブルをＲＡＭ１４に転送してから、ＲＡＭ１４の内容を参照するようにしてもよい。
【００８８】
放送サービスグループテーブルは、グループ化された後述する「放送サービス管理レコード」の集まりであり、各グループ毎に「グループＩＤ」が付されている。グループＩＤによって分類され、集められた各放送サービス管理レコードによって管理されている放送サービスが、関連放送サービスとして扱われる。
【００８９】
図９は、放送サービス管理レコードの一例を示す図である。放送サービス管理レコードは、各放送サービスについて主にアクセスに関する管理を行なうためのレコードであり、図８に示す放送サービスグループテーブルの構成要素となる。放送サービス管理レコードは、各放送サービスについての放送ＩＤ、名称、方式、選局情報、重み（優先順位）、受信不良カウンタなどの情報を有している。
【００９０】
放送ＩＤは、放送サービスを一意に識別するための識別子である。以下の説明においては、放送サービス全体の中で一意に識別されるとして説明するが、グループＩＤと組合わせて一意に識別されたり、方式と組合わせて一意に識別されるようにしてもよい。
【００９１】
名称は、放送サービスの名称であり、ユーザによって可読であり識別可能な文字列などの情報である。また、文字列への参照情報であってもよい。
【００９２】
方式は、放送方式を示す情報であり、たとえば、「１」が地上アナログ放送を示し、「２」が地上デジタル放送を示し、「３」が地上デジタルワンセグ放送を示している。
【００９３】
選局情報は、各サービスを選局するための情報であり、各サービスの放送方式に依存する情報である。この選局情報の詳細は後述する。
【００９４】
重み（優先順位）は、同一グループに含まれるサービス間における相対的な重み付けの情報であり、同一グループ内における優先選択処理などに用いられる。たとえば、この重みの値を０以上の整数値とし、値が大きいほど優先順位が高いものとする。
【００９５】
受信不良カウンタは、その放送サービスの受信に関する状態情報として、受信不良を観測した回数を計数するためのカウンタである。
【００９６】
図１０は、選局情報の一例を示す図である。この選局情報は、各サービスにアクセスするための情報であり、放送方式に依存する。なお、選局情報は各サービスにアクセスするための情報であれば、図１０に示すものに限られるものではない。
【００９７】
図１０（ａ）は、地上アナログ放送の選局情報を示しており、当該サービスのチャンネル番号、選局周波数、バンド情報、微調整値などによって構成される。
【００９８】
選局周波数、ＶＨＦ帯かＵＨＦ帯かなどを示すバンド情報、および微調整値は選局のための情報であり、アナログテレビ処理部１９内のチューナ１９１に指示するための情報である。これらの情報は、地域番号によるプリセット情報、ユーザによって放送探索（オートスキャン）機能が実行されたときの結果情報、ユーザの手操作による設定情報などである。
【００９９】
図１０（ｂ）は、地上デジタル放送の選局情報を示しており、当該サービスのチャンネル番号、選局周波数、ＴＳＩＤ、ＳＩＤ、１ｓｅｇフラグなどによって構成される。
【０１００】
選局周波数は、地上デジタル放送フロントエンド処理部１７内のチューナ１７１に指示するための情報である。ＴＳＩＤは、当該サービスを含むＭＰＥＧ−ＴＳを示す識別子である。このＴＳＩＤは、同じ周波数に複数のＭＰＥＧ−ＴＳが含まれている場合に、それぞれのＭＰＥＧ−ＴＳを識別するための情報である。
【０１０１】
ＳＩＤは、当該サービスを含むＭＰＥＧ−ＴＳ中の当該サービスを示す識別子である。このＳＩＤは、同じＭＰＥＧ−ＴＳに複数のサービスが含まれている場合に、それぞれのサービスを識別するための情報である。
【０１０２】
１ｓｅｇフラグは、当該サービスが固定受信機向け放送であるか、携帯受信機向け放送であるかを示す情報である。１ｓｅｇフラグが“１”であれば、ＭＰＥＧ処理部１６は、強制的に携帯受信機向け放送であるワンセグ放送を取出す。
【０１０３】
上述のように、地上デジタル放送と地上デジタルワンセグ放送とでは、受信時における大きな相違がないので、選局情報としては共用している。これらの情報に基づいて、ＭＰＥＧ処理部１６は、目的のストリームの取出しを行なう。
【０１０４】
図１０（ｃ）は、ＢＳ／広帯域ＣＳデジタル放送の選局情報を示しており、当該サービスのチャンネル番号、選局周波数、ＴＳＩＤ、ＳＩＤなどによって構成される。
【０１０５】
選局周波数は、衛星デジタル放送フロントエンド処理部１８内のチューナ１８１に指示するための情報である。ＴＳＩＤは、当該サービスを含むＭＰＥＧ−ＴＳを示す識別子である。ＳＩＤは、当該サービスを含むＭＰＥＧ−ＴＳ中の当該サービスを示す識別子である。これらの情報に基づいて、ＭＰＥＧ処理部１６は、目的のストリームの取出しを行なう。
【０１０６】
図１０（ｄ）は、ＩＰ放送の選局情報を示しており、当該サービスのチャンネル番号、ＵＲＩ、認証情報、端末情報などによって構成される。
【０１０７】
ＵＲＩは、サービスの接続先を示す一意の識別文字列であり、それによってプロトコル種別、ホストアドレス、ポート番号、ターゲットファイルパスなどが表現される。たとえば、ｈｔｔｐプロトコルの場合、ｈｔｔｐ：／／ｈｏｓｔ：ｐｏｒｔ／ｄｉｒ１／ｄｉｒ２／ｆｉｌｅといった形式で表現される。
【０１０８】
認証情報は、接続時の認証のための情報であり、必ずしも必要なものではない。端末情報は、受信端末の属性に関する情報であり、たとえば、画面サイズ、設置位置などを含み、必要に応じて接続時に放送サーバに送信される。
【０１０９】
なお、地上デジタルＩＰ再送信の形式は、ＩＰ放送の形式と大きく相違しないので、ＩＰ放送の形式を共用する。
【０１１０】
図１１は、チャンネルテーブルの一例を示す図である。このチャンネルテーブルは、リモコンのテンキー３１のそれぞれに割当てられた放送を管理するためのテーブルであり、固定長レコードのリストで構成される。チャンネルテーブルのフィールドは、方式、リモコン番号、チャンネル番号、グループＩＤおよび放送ＩＤによって構成される。
【０１１１】
方式は、当該レコードが管理する放送の放送方式を示すフィールドであり、図９に示す放送サービス管理レコード内の方式と同様である。
【０１１２】
リモコン番号は、当該レコードがリモコンのテンキー３１のいずれのキーに割当てられた放送を管理しているのかを示すフィールドである。
【０１１３】
チャンネル番号は、当該レコードが管理する放送のチャンネル番号を示すフィールドであり、数値で表現しても文字列で表現しても構わない。
【０１１４】
グループＩＤは、当該レコードが管理する放送が、図８に示す放送サービスグループテーブル中のどのグループに属しているかを示すフィールドである。
【０１１５】
放送ＩＤは、当該レコードが管理する放送の放送ＩＤ（図９の説明を参照）を示すフィールドである。
【０１１６】
このチャンネルテーブルは、放送方式ごとにフラッシュメモリ１３に保持されており、各放送方式の数だけチャンネルテーブルが存在する。そのため、このレコードの方式フィールドの値は、１つのテーブル中では同一となる。
【０１１７】
図１２は、放送選択リストの一例を示す図である。この放送選択リストは、ユーザのチャンネル選択操作に伴って、選択された放送に関する情報を記録する。放送選択リストは、ＲＡＭ１４に保持されてもよいし、電源切断後でも内容を保持して次回の動作時に継承するためにフラッシュメモリ１３に保持されてもよい。
【０１１８】
放送選択リストは、各リモコン番号に対応するレコード（リモコン番号１〜１２のレコード）と、全体として最近に選択された番号について保持するレコード（リモコン番号Ｎのレコード）とで構成される。
【０１１９】
各フィールドは、リモコン番号、方式、グループＩＤおよび放送ＩＤであり、図１１に示すチャンネルテーブルのフィールドなどと同様である。
【０１２０】
ユーザがリモコンを操作して放送サービスを選局するときに、そのリモコン番号（１〜１２）に対応する放送選択リスト（２番目以降のレコード）の各フィールドを、選局した放送サービスの情報に更新する。この更新は、ユーザがリモコンを操作して選局する度に行なわれる。
【０１２１】
また、特別なレコードとして１番目のレコードが準備されており、ユーザが選択したリモコン番号に関係なく、常に最近に選局した放送サービスに関する情報でそのレコードがその都度更新される。この場合、第１フィールドのリモコン番号Ｎも、操作されたリモコン番号でその都度更新される。
【０１２２】
たとえば、ユーザがリモコン番号「８」を押下して操作したのであれば、第１レコードと第９レコードが同一の内容で更新される。このとき、第１レコードのリモコン番号が「８」に更新される。
【０１２３】
図１３は、本発明の第１の実施の形態における放送受信装置が動作するときに、放送サービスグループテーブルおよびチャンネルテーブルにどのような情報が格納されるかを示す図である。
【０１２４】
図１３（ａ）は、放送受信装置の動作時における放送サービスグループテーブルの内容を示しており、２つのグループが管理されており、それぞれのグループに複数の放送サービスが登録されているところを示している。
【０１２５】
グループＩＤが“１”のグループの放送サービスとして、３つのレコードが登録されている。最初のレコードには、放送ＩＤが“０１０１”、名称が“日の出ＴＶ”、方式が地上アナログ放送（“１”）、チャンネル番号が“８”、周波数が“ＸＸＸ  ＭＨｚ”、バンド情報が“ＶＨＦ  ＭＩＤ”、微調整値が“０”、重みが“７０”の放送サービスが登録されている。受信不良カウンタの値は“０”であり、受信不良は記録されていない。
【０１２６】
２番目のレコードには、放送ＩＤが“０１０２”、名称が“日の出ＴＶ”、方式が地上デジタル放送（“２”）、チャンネル番号が“０８１”、周波数が“ＹＹＹ  ＭＨｚ”、ＴＳＩＤが“１０００１”、ＳＩＤが“１０００２”、ワンセグではなく（“０”）、重みが“７０”の放送サービスが登録されている。受信不良カウンタの値は“０”であり、受信不良は記録されていない。
【０１２７】
以下同様に、グループＩＤが“１”のグループの３番目の放送サービス、およびグループＩＤが“２”のグループの１〜２番目の放送サービスが登録されている。
【０１２８】
図１３（ｂ）は、放送受信装置の動作時における地上アナログ放送のチャンネルテーブルの内容を示し、図１３（ｃ）は、放送受信装置の動作時における地上デジタル放送のチャンネルテーブルの内容を示している。なお、他の放送方式のチャンネルテーブルは省略している。
【０１２９】
図１３（ｂ）および図１３（ｃ）のチャンネルテーブルにおいては、リモコン番号“１”に対応するレコードと、リモコン番号“８”に対応するレコードのみを記載しており、それぞれのグループＩＤと放送ＩＤとが、図１３（ａ）に示す放送サービスグループテーブルに対応している。
【０１３０】
図１４は、本発明の第１の実施の形態における放送受信装置の処理手順を説明するためのフローチャートである。まず、ＣＰＵ１１は、ＩＲ処理部１２からの割込みによって、ユーザによるリモコンキー入力があるか否かを判定する（Ｓ１１）。ユーザによるリモコンキー入力がなければ、ＣＰＵ１１はユーザによるリモコンキー入力があるまで待機する。なお、ＣＰＵ１１は、割込みによってリモコンキー入力があるか否かを判定せずに、ＩＲ処理部１２から出力される信号をポーリングしてリモコンキー入力があるか否かを判定するようにしてもよい。
【０１３１】
リモコンキー入力が放送方式切換キー３３であれば（Ｓ１１，放送切換）、放送方式切換処理を行なう（Ｓ１２）。放送方式には所定の順番が決められており、たとえば、地上アナログ→地上デジタル→地上デジタルワンセグ→・・・のように予め決められている。
【０１３２】
ＣＰＵ１１は、ＲＡＭ１４などに「現在の放送方式」を保持しており、さらに「各方式の最後のチャンネル」を保持している。放送方式切換処理は、放送方式を上述のように予め決められた順番に従って次の放送方式に切換える処理である。
【０１３３】
すなわち、ＣＰＵ１１は、「現在の放送方式」を保持しているメモリ領域から現在の放送方式を取出し、その次の放送方式を求める。そして、「各方式の最後のチャンネル」を参照して、その放送方式の最近のチャンネル番号を取得する。このチャンネル番号から放送ＩＤを介して選局情報を取得して放送サービスを選局し、スケーラ部２０およびオーディオプロセッサ部２２の入力ソースをその方式に適するように切換えを行なって、画面表示および音声出力を行なう。
【０１３４】
また、リモコンキー入力がテンキー３１であれば（Ｓ１１，テンキー）、テンキー処理を行なう（Ｓ１３）。このテンキー処理の詳細は後述する。
【０１３５】
また、リモコンキー入力が選局キー３５であれば（Ｓ１１，選局）、「現在の放送方式」に対応したチャンネルテーブルを参照し、選局キー３５の押下に応じて現在のチャンネルから順方向または逆方向にレコードを進め、得られたグループＩＤと放送ＩＤとから選局情報を取得して放送サービスを選局し、画面表示および音声出力を行なう（Ｓ１４）。
【０１３６】
また、リモコンキー入力が関連放送キーであれば（Ｓ１１，関連放送）、関連放送切換処理を行なう（Ｓ１６）。この関連放送切換処理の詳細は後述する。
【０１３７】
また、リモコンキー入力がその他のキーであれば（Ｓ１１，その他キー）、そのキーに対応する処理を行なう（Ｓ１５）。すなわち、リモコンキー入力が電源キー３２であれば、電源のオン／オフの切換えを行なう。また、リモコンキー入力が音量キー３６であれば、音量の調整を行なう。
【０１３８】
図１５は、図１４のテンキー処理（Ｓ１３）の処理手順を説明するためのフローチャートである。まず、テンキー３１の押下によるリモコン番号が入力されると、図１２に示す放送選択リストの第１レコードのリモコン番号フィールドから最近に押下されたリモコン番号を取得し、入力されたリモコン番号と最近に押下されたリモコン番号とが同じであるか否かを判定する（Ｓ２１）。
【０１３９】
入力されたリモコン番号と最近に押下されたリモコン番号とが同じであれば（Ｓ２１，Ｎｏ）、放送選択リストからそのリモコン番号に対応するグループＩＤと放送ＩＤとを取得する（Ｓ２２）。
【０１４０】
次に、図１３（ａ）に示す放送サービスグループテーブルから、グループＩＤに対応する放送サービス群（同一放送グループに属する放送サービス管理レコード）を「カレントグループテーブル」にコピーする。このとき、各レコードの重みで降順にソートしてカレントグループテーブルにコピーする（Ｓ２３）。このカレントグループテーブルは、処理用に放送サービスグループテーブルの中の１つのグループの情報を格納するためのテーブルであり、ＲＡＭ１４に設けられる。
【０１４１】
次に、ステップＳ２２で取得された放送ＩＤを用いてカレントグループテーブルを探索し、その次のレコードを取得する（Ｓ２４）。このとき、放送ＩＤが最終レコードに対応すれば、先頭レコードを取得する。
【０１４２】
次に、取得した放送サービス管理レコードを用いて選局設定を行なう（Ｓ２５）。この選局設定の詳細は後述する。そして、ＭＰＥＧ処理部１６の設定を行なう（Ｓ２６）。なお、このＭＰＥＧ処理部１６の設定は、アナログテレビ放送の場合には行なわれない。
【０１４３】
次に、スケーラ部２０およびオーディオプロセッサ部２２の設定を行ない、それぞれの入力ソースを適宜選択して画面表示および音声再生を行なう（Ｓ２７）。
【０１４４】
最後に、放送選択リストの当該リモコン番号のレコードと第１レコードとの内容を新しいグループＩＤおよび放送ＩＤで更新する（Ｓ２８）。
【０１４５】
以上の処理によって、同一のテンキー３１（リモコン番号）が押下されたときに、放送サービスグループとして管理された関連放送サービスを順次選局することができる。
【０１４６】
また、ステップＳ２１において、入力されたリモコン番号と最近に押下されたリモコン番号とが相違していれば（Ｓ２１，Ｙｅｓ）、放送選択リストの第１レコードから放送方式を取出し、その放送方式に対応するチャンネルテーブルを参照して、入力されたリモコン番号に対応するグループＩＤと放送ＩＤとを取得する（Ｓ２９）。
【０１４７】
次に、図１３（ａ）に示す放送サービスグループテーブルから、グループＩＤに対応する放送サービス群をカレントグループテーブルにコピーする。このとき、各レコードの重みで降順にソートしてカレントグループテーブルにコピーする（Ｓ３０）。
【０１４８】
次に、ステップＳ２９で取得された放送ＩＤを用いてカレントグループテーブルを探索し、対応する放送サービス管理レコードを取得する（Ｓ３１）。そして、上述したステップＳ２５〜Ｓ２８の処理を行なう。
【０１４９】
以上の処理によって、直前に他のチャンネルで選択されていた放送方式と同じ放送方式を自動的に選択して選局することができる。
【０１５０】
図１６は、図１５の選局設定（Ｓ２５）の処理手順を説明するためのフローチャートである。まず、取得した放送サービス管理レコードから放送方式と選局情報とを取出す（Ｓ４１）。そして、放送方式が地上アナログ放送であれば、地上アナログ選局処理を行なう（Ｓ４２）。
【０１５１】
ＣＰＵ１１は、同調する周波数および微調整値と、バンド指定とを、Ｉ２Ｃなどの制御用バスを介してアナログテレビ処理部１９内のチューナ１９１に与える。そして、ＣＰＵ１１は、ビデオデコーダ１９２とオーディオプロセッサ１９３との入力ソースの選択、出力フォーマット、出力ポートの選択および処理のための設定を、Ｉ２Ｃなどの制御用バスを介して与える。
【０１５２】
これによって、ビデオデコーダ１９２およびオーディオプロセッサ１９３は、チューナ１９１から出力される映像信号および音声信号を処理し、デジタル化された映像信号および音声信号を生成して、スケーラ部２０およびオーディオプロセッサ部２２に出力する。なお、詳細は図４の説明を参照されたい。
【０１５３】
放送方式が地上デジタル放送であれば、地上デジタル選局処理を行なう（Ｓ４３）。ＣＰＵ１１は、Ｉ２Ｃなどの制御用バスを介して地上デジタル放送フロントエンド処理部１７内のチューナ１７１に周波数を設定し、目的の帯域の電波を抽出させる。そして、ＣＰＵ１１は、ＯＦＤＭ復調部１７２に目的となるＴＳＩＤを与え、対応するＭＰＥＧ−ＴＳをスケーラ部２０に出力させる。なお、詳細は図２の説明を参照されたい。
【０１５４】
放送方式が地上デジタルワンセグ放送であれば、地上デジタルワンセグ選局処理を行なう（Ｓ４４）。この処理は、ステップＳ４３の地上デジタル選局処理と同様である。
【０１５５】
また、図示していないが、放送方式がＢＳ／広帯域ＣＳデジタル放送であれば、ＣＰＵ１１は、Ｉ２Ｃなどの制御用バスを介して衛星デジタル放送フロントエンド処理部１８内のチューナ１８１に周波数を設定し、目的の帯域の電波を抽出させる。そして、ＣＰＵ１１は、復調部１８２に目的となるＴＳＩＤを与え、対応するＭＰＥＧ−ＴＳをスケーラ部２０に出力させる。なお、詳細は図３の説明を参照されたい。
【０１５６】
また、図示していないが、放送方式がＩＰ放送であれば、ＣＰＵ１１は、ネットワーク処理部１５内のネットワークプロセッサ１５１に接続先の情報であるＵＲＩを与え、必要であれば認証情報および端末情報を与える。ネットワークプロセッサ１５１は、接続先のサーバに接続してストリームの供給を待つ。なお、詳細は図５の説明を参照されたい。
【０１５７】
なお、各処理部に設定した後は、各処理部の状態を取得せずに、ステップＳ２６以降の処理を行なう。
【０１５８】
図１７は、図１４の関連放送切換処理（Ｓ１６）の処理手順を説明するためのフローチャートである。なお、図１５に示すフローチャートと同じ処理については同じ参照符号を付すものとし、詳細な説明は繰返さない。
【０１５９】
まず、図１２に示す放送選択リストの第１レコードのリモコン番号フィールドから最近に選択された放送のグループＩＤと放送ＩＤとを取得する（Ｓ１０１）。そして、ステップＳ２３〜Ｓ２７の処理を行なった後、放送選択リストの第１レコードの内容を更新する（Ｓ１０２）。
【０１６０】
以上の処理によって、関連放送キー３４が押下されたときに、選局中の放送と同じ放送サービスグループとして管理される他の関連放送サービスに切換えることができる。
【０１６１】
以上説明したように、本実施の形態における放送受信装置によれば、同一のテンキー３１（リモコン番号）が押下されたときに、同じ放送サービスグループとして管理された関連放送サービスを順次選局するようにしたので、１回のキー操作で関連放送サービスを選局することができ、ユーザの操作性を向上させることが可能となった。
【０１６２】
また、異なるテンキー３１（リモコン番号）が押下されたときに、直前に他のチャンネルで選択されていた放送方式と同じ放送方式を自動的に選択して選局するようにしたので、放送方式が頻繁に切換わるといった不具合を防止でき、ユーザの操作性を向上させることが可能となった。
【０１６３】
（第２の実施の形態）
本発明の第２の実施の形態における放送受信装置は、第１の実施の形態における放送受信装置と比較して、図１４に示すテンキー処理（Ｓ１３）の処理手順のみが異なる。したがって、重複する構成および機能の詳細な説明は繰返さない。
【０１６４】
図１８は、本発明の第２の実施の形態における放送受信装置のテンキー処理の処理手順を説明するためのフローチャートである。なお、図１５に示すフローチャートと同じ処理については同じ参照符号を付すものとし、詳細な説明は繰返さない。
【０１６５】
ステップＳ２８において、放送選択リストの当該リモコン番号のレコードと第１レコードとの内容を新しいグループＩＤおよび放送ＩＤで更新した後、再度カレントグループテーブルから次のレコードを取出し（Ｓ５１）、そのレコードの内容で選局設定を行なう（Ｓ５２）。この選局設定の処理手順は、図１６を用いて説明した処理手順と同様である。なお、この処理は、ステップＳ２５において選局設定されたフロントエンドと異なる場合のみ行なわれる。
【０１６６】
次に、ステップＳ２５において選局設定を行なった放送がＭＰＥＧを利用するものであるか否かを判定する（Ｓ５３）。ＭＰＥＧを利用するものであれば（Ｓ５３，Ｙｅｓ）、そのまま処理を終了する。
【０１６７】
また、ＭＰＥＧを利用するものでなければ（Ｓ５３，Ｎｏ）、ステップＳ５１において取出されたレコードの内容でＭＰＥＧ処理部１６の設定を行なう（Ｓ５４）。たとえば、ステップＳ２５における選局設定がアナログテレビ処理部１９に対するものであれば、ＭＰＥＧ処理部１６が使用されていないので、次に選択される可能性がある関連放送サービスに対応するＭＰＥＧ設定を先に行なうようにしている。
【０１６８】
以上説明したように、本実施の形態における放送受信装置によれば、次に選択される可能性がある関連放送サービスに対応した選局設定およびＭＰＥＧ設定を行なうようにしたので、次の関連放送サービスの切換えを高速に行なえるようになった。
【０１６９】
（第３の実施の形態）
本発明の第３の実施の形態における放送受信装置は、第１の実施の形態における放送受信装置と比較して、図１４に示すテンキー処理（Ｓ１３）の処理手順のみが異なる。したがって、重複する構成および機能の詳細な説明は繰返さない。
【０１７０】
図１９は、本発明の第３の実施の形態における放送受信装置のテンキー処理の処理手順を説明するためのフローチャートである。なお、図１５に示すフローチャートと同じ処理については同じ参照符号を付すものとし、詳細な説明は繰返さない。
【０１７１】
ステップＳ２８において、放送選択リストの当該リモコン番号のレコードと第１レコードとの内容を新しいグループＩＤおよび放送ＩＤで更新した後、ステップＳ２５において選局設定した放送サービスの番組情報を取得する（Ｓ６１）。そして、その番組情報を参照することによって、その放送サービスがその時点で有料放送であるか否かを判定する（Ｓ６２）。
【０１７２】
有料放送でなければ（Ｓ６２，Ｎｏ）、そのまま処理を終了する。また、有料放送であれば（Ｓ６２，Ｙｅｓ）、スケーラ部２０のＯＳＤ（On-Screen Display）によって有料放送である旨を表示して（Ｓ６３）、処理を終了する。
【０１７３】
また、ステップＳ２１において、入力されたリモコン番号と最近に押下されたリモコン番号とが相違していれば（Ｓ２１，Ｙｅｓ）、放送選択リストの当該リモコン番号に対応するレコードから放送方式、グループＩＤおよび放送ＩＤを取得して（Ｓ６４）、ステップＳ３０以降の処理を行なう。
【０１７４】
以上説明したように、本実施の形態における放送受信装置によれば、選択された放送サービスが有料放送であれば、その旨を表示するようにしたので、ユーザが関連放送サービスの選択中に有料放送であるか否かを認識することができ、ユーザの操作性を向上させることが可能となった。
【０１７５】
また、入力されたリモコン番号と最近に押下されたリモコン番号とが相違していれば、そのリモコン番号に対応するレコードから放送方式、グループＩＤおよび放送ＩＤを取得して選局をするようにしたので、直前にそのリモコン番号で選択されていた放送方式とチャンネルとを自動的に選択して選局することができ、ユーザの操作性を向上させることが可能となった。
【０１７６】
（第４の実施の形態）
本発明の第４の実施の形態における放送受信装置は、第１の実施の形態における放送受信装置と比較して、図１４に示すテンキー処理（Ｓ１３）の処理手順のみが異なる。したがって、重複する構成および機能の詳細な説明は繰返さない。
【０１７７】
図２０は、本発明の第４の実施の形態における放送受信装置のテンキー処理の処理手順を説明するためのフローチャートである。なお、図１５に示すフローチャートと同じ処理については同じ参照符号を付すものとし、詳細な説明は繰返さない。
【０１７８】
ステップＳ２２において、放送選択リストからリモコン番号に対応するグループＩＤと放送ＩＤとを取得した後、現在選局中の放送のＥＰＧによる重み加算値を計算する（Ｓ７１）。
【０１７９】
ＥＰＧによる重み加算値を計算するために、ＲＡＭ１４に「重み加算値テーブル」を準備し、テンキー処理の最初にこのテーブルをクリアする。重み加算値テーブルは、放送サービスグループテーブルの１つのグループ内の放送サービス管理レコードと同数の加算値を保持できるだけの大きさを有している。
【０１８０】
ＥＰＧによる重み加算値は、現在選局中の放送のＥＰＧ中のその時点における内容と、同一グループ内の各放送サービスから得られているＥＰＧのその時点における内容とを比較し、類似度が大きい場合に大きな加算値が与えられる。
【０１８１】
ＥＰＧの内容の比較方法は特に限定されないが、ＥＰＧは構造化された情報であるので、たとえば構造に従って、「タイトル」、「内容」、「出演者」などの項目について、文を形態素解析により単語に分離し、それらの一致度によって類似度を計算するようにしてもよい。また、ＥＰＧを全文について形態素解析し、出現単語の比較から得られる類似度によるなどの自然文解析技術に基づくものでもよい。さらに単純な方法として、構造化された「タイトル」などの各項目の完全一致によるものでもよい。
【０１８２】
また、構造化されていないＥＰＧの場合には、ＥＰＧをキーワードやフォーマットなどによって構造を推定し、その推定結果に基づいて上述した方法を適用するようにしてもよい。
【０１８３】
このようにして計算された各放送サービスの類似度を一定の範囲となるように正規化し、その値を加算値として重み加算値テーブルを作成する。
【０１８４】
次に、放送サービスグループテーブルから、グループＩＤに対応する放送サービス群をカレントグループテーブルにコピーする。このとき、各レコードの重みに重み加算値を加えた値で重みフィールドを更新し、降順にソートしてカレントグループテーブルにコピーする（Ｓ７２）。そして、ステップＳ２４以降の処理を行なう。
【０１８５】
なお、選局時にＥＰＧに基づいて各レコードの重みを再計算するとして説明したが、たとえば放送受信装置の起動後に１回だけ重み加算値を計算するようにしたり、電源オフによるシャットダウン時やユーザによる指示があった時に重み加算値を計算するようにしたりして、選局時に重み加算値の計算を毎回行なわないようにして、応答性や効率を向上させることも可能である。
【０１８６】
以上説明したように、本実施の形態における放送受信装置によれば、ＥＰＧの類似度に基づいて計算した重み加算値を各レコードの重みに加えた値でソートしてカレントグループテーブルにコピーするようにしたので、関連性の高い放送サービスを優先的に選択することが可能となった。
【０１８７】
（第５の実施の形態）
本発明の第５の実施の形態における放送受信装置は、第１の実施の形態における放送受信装置と比較して、図１４に示すテンキー処理（Ｓ１３）の処理手順のみが異なる。したがって、重複する構成および機能の詳細な説明は繰返さない。
【０１８８】
図２１は、本発明の第５の実施の形態における放送受信装置のテンキー処理の処理手順を説明するためのフローチャートである。なお、図１５に示すフローチャートと同じ処理については同じ参照符号を付すものとし、詳細な説明は繰返さない。
【０１８９】
ステップＳ２２において、放送選択リストからリモコン番号に対応するグループＩＤと放送ＩＤとを取得した後、受信内容による重み加算値を計算する（Ｓ８１）。
【０１９０】
受信内容による重み加算値を計算するために、ＲＡＭ１４に「重み加算値テーブル」を準備し、テンキー処理の最初にこのテーブルをクリアする。重み加算値テーブルは、放送サービスグループテーブルの１つのグループ内の放送サービス管理レコードと同数の加算値を保持できるだけの大きさを有している。
【０１９１】
受信内容には、受信可／不可、受信感度、受信速度などの受信している状態のパラメータ（以下、受信状態パラメータ）と、解像度、音声フォーマットなどの受信している放送内容のパラメータ（以下、受信内容パラメータ）とが含まれる。
【０１９２】
受信状態パラメータについては、基準値を予め設けておき、その基準値との差を数値化して点数化する。また、受信内容パラメータについては、予め各パラメータの得点を設定し、受信した内容から得られるパラメータの得点を加算して数値化する。
【０１９３】
受信内容による加算値は、現在選局中の放送サービスと同一グループ内の各放送サービスを一旦選局し、上述した情報を収集する。そして、その情報に基づいて得点を計算し、その得点を一定の範囲となるように正規化し、その値を加算値として重み加算値テーブルを作成する。
【０１９４】
次に、放送サービスグループテーブルから、グループＩＤに対応する放送サービス群をカレントグループテーブルにコピーする。このとき、各レコードの重みに重み加算値を加えた値で重みフィールドを更新し、降順にソートしてカレントグループテーブルにコピーする（Ｓ８２）。そして、ステップＳ２４以降の処理を行なう。
【０１９５】
なお、選局時に受信内容に基づいて各レコードの重みを再計算するとして説明したが、たとえば放送受信装置の起動後に１回だけ重み加算値を計算するようにしたり、電源オフによるシャットダウン時やユーザによる指示があった時に重み加算値を計算するようにしたりして、選局時に重み加算値の計算を毎回行なわないようにして、応答性や効率を向上させることも可能である。
【０１９６】
以上説明したように、本実施の形態における放送受信装置によれば、受信内容に基づいて計算した重み加算値を各レコードの重みに加えた値でソートしてカレントグループテーブルにコピーするようにしたので、よりよい受信状態や受信内容の関連放送サービスを優先的に選択することが可能となった。
【０１９７】
（第６の実施の形態）
本発明の第６の実施の形態における放送受信装置は、第１の実施の形態における放送受信装置と比較して、図１４に示すテンキー処理（Ｓ１３）の処理手順のみが異なる。したがって、重複する構成および機能の詳細な説明は繰返さない。
【０１９８】
図２２は、本発明の第６の実施の形態における放送受信装置のテンキー処理の処理手順を説明するためのフローチャートである。なお、図１５に示すフローチャートと同じ処理については同じ参照符号を付すものとし、詳細な説明は繰返さない。
【０１９９】
ステップＳ２５において、取得した放送サービス管理レコードを用いて選局設定を行なった後、一定時間だけ待って受信に関する状態情報を収集する（Ｓ９０）。アナログ放送においては、チューナ１９１のＡＧＣ（Auto Gain Control）出力、ロックインディケータや、ビデオデコーダ１９２のロックフラグなどを状態情報として収集する。
【０２００】
デジタル放送においては、チューナ１７１または１８１のＡＧＣ出力や、ＯＦＤＭ復調部１７２のビット誤り率（ＢＥＲ）、Ｃ／Ｎ比などを状態情報として収集する。また、ＩＰ放送においては、物理層リンクの確立状態、エラーパケット数、通信レートなどを状態情報として収集する。
【０２０１】
そして、これらの値に対してしきい値を設けておき、両者の比較によって受信不良であるか否かを判定する（Ｓ９１）。受信不良でなければ（Ｓ９１，Ｎｏ）、ステップＳ２６に進んで以降の処理を行なう。
【０２０２】
また、受信不良であれば（Ｓ９１，Ｙｅｓ）、カレントグループテーブルの該当レコードの受信不良カウンタフィールドの値をインクリメントする（Ｓ９２）。そして、カレントグループテーブルから次のレコードを取得し（Ｓ９３）、レコードの取得が一巡したか否かを判定する（Ｓ９４）。
【０２０３】
レコードの取得が一巡していなければ（Ｓ９４，Ｎｏ）、ステップＳ２５に戻って以降の処理を繰返す。また、レコードの取得が一巡していれば（Ｓ９４，Ｙｅｓ）、ステップＳ２６に進んで以降の処理を行なう。
【０２０４】
以上説明したように、本実施の形態における放送受信装置によれば、受信不良の関連放送サービスをスキップして選局を行なうようにしたので、受信状態のよい関連放送サービスを自動的に選択することができ、ユーザの操作性を向上させることが可能となった。
【０２０５】
上述した受信不良カウンタは、放送サービスグループテーブル中の各レコードに残り、受信不良が検出されるたびに蓄積されていく。受信状態が回復すると受信不良カウンタをクリアするようにすれば、受信不良カウンタの値があるしきい値を超えることが、そのしきい値の回数だけ連続して受信不良が発生したことを示すようになる。
【０２０６】
これを利用して、受信不良カウンタがあるしきい値よりも大きくなった場合には、放送がないものと判断して当該レコードを放送サービスグループテーブルから削除するようにしてもよい。
【０２０７】
また、常に受信しているＥＰＧや、デジタル放送におけるＮＩＴなどの放送局情報等を参照して、放送サービスの数が減少したと判断した場合には、放送サービスグループテーブル中の各放送サービス管理レコードの名称フィールドの内容と、取得できたＥＰＧや放送局情報中の名称情報とを総当りで比較することにより、存在しなくなった放送サービスや、新規に追加になった放送サービスを検出することができる。その場合には、放送サービスグループリストなどの放送サービスに関連するテーブルやリストから存在しなくなった放送サービスを削除したり、新規に追加になった放送サービスをテーブルやリストに追加したりする。
【０２０８】
放送サービスを削除する場合には、実際には削除せずに、放送サービス管理レコード中に削除フラグを設けたり、削除したレコードを管理する「削除放送サービステーブル」を作成してそこに移動するようにしたりして、一時的に受信ができなくなった後に回復した場合に元の場所にレコードを戻すことが容易に行なえるようになる。
【０２０９】
また、新規に追加になった放送サービスが検出された場合には、検出された放送サービスのＥＰＧと既存の放送サービスのＥＰＧとを比較して類似度を求めることによって、その放送サービスがどの放送サービスグループに属するか、どの放送サービスグループにも属さないのかを判断することができる。
【０２１０】
このように、受信状態、取得できるＥＰＧや放送局情報を利用して、存在しなくなった放送サービスを放送サービスグループテーブルから削除したり、新規に追加された放送サービスを放送サービスグループテーブルに追加したりできるようになり、放送サービスグループテーブルの更新を自動的に行なうことが可能となる。
【０２１１】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２１２】
【図１】本発明の第１の実施の形態における放送受信装置の概略構成を示すブロック図である。
【図２】地上デジタル放送フロントエンド処理部１７の内部構成を示すブロック図である。
【図３】衛星デジタル放送フロントエンド処理部１８の内部構成を示すブロック図である。
【図４】アナログテレビ処理部１９の内部構成を示すブロック図である。
【図５】ネットワーク処理部１５の内部構成を示すブロック図である。
【図６】ＭＰＥＧ処理部１６の内部構成を示す図である。
【図７】リモコンの外観例を示す図である。
【図８】放送サービスグループテーブルの一例を示す図である。
【図９】放送サービス管理レコードの一例を示す図である。
【図１０】選局情報の一例を示す図である。
【図１１】チャンネルテーブルの一例を示す図である。
【図１２】放送選択リストの一例を示す図である。
【図１３】本発明の第１の実施の形態における放送受信装置が動作するときに、放送サービスグループテーブルおよびチャンネルテーブルにどのような情報が格納されるかを示す図である。
【図１４】本発明の第１の実施の形態における放送受信装置の処理手順を説明するためのフローチャートである。
【図１５】図１４のテンキー処理（Ｓ１３）の処理手順を説明するためのフローチャートである。
【図１６】図１５の選局設定（Ｓ２５）の処理手順を説明するためのフローチャートである。
【図１７】図１４の関連放送切換処理（Ｓ１６）の処理手順を説明するためのフローチャートである。
【図１８】本発明の第２の実施の形態における放送受信装置のテンキー処理の処理手順を説明するためのフローチャートである。
【図１９】本発明の第３の実施の形態における放送受信装置のテンキー処理の処理手順を説明するためのフローチャートである。
【図２０】本発明の第４の実施の形態における放送受信装置のテンキー処理の処理手順を説明するためのフローチャートである。
【図２１】本発明の第５の実施の形態における放送受信装置のテンキー処理の処理手順を説明するためのフローチャートである。
【図２２】本発明の第６の実施の形態における放送受信装置のテンキー処理の処理手順を説明するためのフローチャートである。
【符号の説明】
【０２１３】
１１  ＣＰＵ、１２  ＩＲ処理部、１３，１５２  フラッシュメモリ、１４，１５３  ＲＡＭ、１５  ネットワーク処理部、１６  ＭＰＥＧ処理部、１７  地上デジタル放送フロントエンド処理部、１８  衛星デジタル放送フロントエンド処理部、１９  アナログテレビ処理部、２０  スケーラ部、２１  ＬＣＤ表示部、２２  オーディオプロセッサ部、２３  スピーカ、３１  テンキー、３２  電源キー、３３  放送方式切換キー、３４  関連放送キー、３５  選局キー、３６  音量キー、１５１  ネットワークプロセッサ、１６１  ＴＳ分離部、１６２  映像デコーダ、１６３  音声デコーダ、１６４  表示多重化部、１６５  映像ＰＥＳバッファ、１６６  字幕ＰＥＳバッファ、１６７  音声ＰＥＳバッファ、１６８  セクションバッファ、１７１，１８１，１９１  チューナ、１７２  ＯＦＤＭ復調部、１８２  復調部、１９２  ビデオデコーダ、１９３  オ−ディオプロセッサ。
【図１】
2008022047.tif 000003
【図２】
2008022047.tif 000004
【図３】
2008022047.tif 000005
【図４】
2008022047.tif 000006
【図５】
2008022047.tif 000007
【図６】
2008022047.tif 000008
【図７】
2008022047.tif 000009
【図８】
2008022047.tif 000010
【図９】
2008022047.tif 000011
【図１０】
2008022047.tif 000012
【図１１】
2008022047.tif 000013
【図１２】
2008022047.tif 000014
【図１３】
2008022047.tif 000015
【図１４】
2008022047.tif 000016
【図１５】
2008022047.tif 000017
【図１６】
2008022047.tif 000018
【図１７】
2008022047.tif 000019
【図１８】
2008022047.tif 000020
【図１９】
2008022047.tif 000021
【図２０】
2008022047.tif 000022
【図２１】
2008022047.tif 000023
【図２２】
2008022047.tif 000024